(57)【特許請求の範囲】
【請求項１】
静電容量式タッチパネルの操作を補助するタッチパネル操作補助具であって、少なくとも一部が、爪の先端下部に配置し、且つ手背方向から平面視において見えない、導電性を有するタッチパネル接触部と、該タッチパネル接触部と連結され、爪の上部に配置された導電性を有する爪上部配置部と、さらに爪上部配置部と指とを連結し、該指に接触した導電性を有する部材と、を有するタッチパネル操作補助具。
【請求項２】
前記爪上部配置部は、下面に接着剤が取り付けられているシールであり、該接着剤により、爪に接着され、シールの一部が爪の先端側を挟み込んで配置されることを特徴とし、導電性を有するタッチパネル接触部を備えた、請求項１記載のタッチパネル操作補助具。
【請求項３】
前記爪上部配置部は、一端側が爪、又は付け爪の先端側を挟み込み、他端側が指に接触した導電性を有する線状の部材、を備え、該線状部材の爪の先端側下部に、導電性を有するタッチパネル接触部を備えた、請求項１記載のタッチパネル操作補助具。
【発明の詳細な説明】
【技術分野】
【０００１】
本発明は、静電容量式タッチパネルの操作を補助するタッチパネル操作補助具に関する。
【背景技術】
【０００２】
従来より、静電容量式タッチパネルの操作を補助するタッチパネル操作補助具としてタッチペンが知られている。
【０００３】
この種のタッチペンとして、リング型の治具が指の爪から後部に取り付けられ、その治具にペン先部が取り付けられたものがあった。このタッチペンは、通常の指輪のようにして例えば人差し指に嵌めた状態で使用される。そして、作業中は常時装着した状態を維持し、コンピュータに情報入力する必要があるときに、指先を曲げてペン先部を突き出して、ペン先部をタッチパネルの表面に接触させて所望の情報入力を行うことができるというものであった（たとえば、特許文献１）。
【先行技術文献】
【特許文献】
【０００４】
【特許文献１】特開２００９−２５９０６２号公報
【発明の概要】
【発明が解決しようとする課題】
【０００５】
しかしながら、従来のタッチパネル操作補助具としてタッチペンでは、ペン先部が指の表側（爪側）に取り付けられているので、ペン先部をタッチパネルの表面に接触させて情報を入力し辛いものであった。また、仮にペン先部を指の裏面に取り付けた場合でも、指の裏面の指先は肌が柔らかく、ペン先部とともに肌がタッチパネルに当たり、誤操作するという問題も生じる。
【０００６】
また、静電容量式タッチパネルは、導体ではない爪で操作することはできないため、爪の長い者や、付け爪をしている者は、静電容量式タッチパネルを操作する際に、長い爪や付け爪が邪魔になり、非常に操作がしづらく、誤操作するという問題も生じる。
【０００７】
本発明は上記問題点に鑑みてなされたもので、静電容量式タッチパネルの操作を容易に行うことができるとともに、誤操作も少なくする。また、長い爪や付け爪では操作しづらかった静電容量式タッチパネルの操作をネイルアートを楽しみながら、ファッション性を発揮し、お洒落を楽しむことができるタッチパネル操作補助具を提供することを目的とする。
【課題を解決するための手段】
【０００８】  上記課題を解決し上記目的を達成するために、本発明のうち第１の態様に係るものは、静電容量式タッチパネルの操作を補助するタッチパネル操作補助具であって、少なくとも一部が、爪の先端下部に配置し、且つ手背方向から平面視において見えない、導電性を有するタッチパネル接触部と、該タッチパネル接触部と連結され、爪の上部に配置された導電性を有する爪上部配置部と、さらに爪上部配置部と指とを連結し、該指に接触した導電性を有する部材と、を有するものである。【０００９】  静電容量式タッチパネルを作動させるためには、静電容量式タッチパネルを導体である指で操作しなければならず、導体でない長い爪で操作しても静電容量式タッチパネルは作動しない。本発明によれば、少なくとも一部が爪の先端下部に配置し、且つ手背方向から平面視において見えない、導電性を有するタッチパネル接触部と連結する爪の上部に配置された導電性を有する爪上部配置部と、さらに爪上部配置部と指とを連結し、該指に接触した導電性を有する部材と、を有しているので、使用者は、静電容量式タッチパネルにタッチパネル接触部を接触させることにより、静電容量式タッチパネルの操作を容易に行うことができる。また、該指に接触した導電性を有する部材は、ファッション性を考慮し、様々な形状で形成することができる。さらに、爪の先端下部に配置された、タッチパネル接触部は、手背方向から平面視において見えないため、ファッション性を損なうことはない。また、タッチパネル接触部が爪の先端下部に取り付けられているので、静電容量式タッチパネルにはタッチパネル接触部がピンポイントで接触し、静電容量式タッチパネルの誤操作を少なくすることができる。【００１８】  本発明のうち第２の態様に係るものは、第１の態様に係るタッチパネル操作補助具であって、下面に接着剤が取り付けられているシールであり、該接着剤により、爪に接着され、シールの一部が爪の先端側を挟み込んで配置されることを特徴とし、導電性を有するタッチパネル接触部を備えたものである。【００１９】  本発明によれば、爪上部配置部が下面に接着剤が取り付けられているシールであるので、タッチパネル操作補助具の取り付け、取り外しを容易に行うことができ、シールの一部が爪の先端側を挟み込むように配置され、爪の先端下部に導電性を有するタッチパネル接触部を備えているので、使用者は、静電容量式タッチパネルにタッチパネル接触部を接触させることにより、静電容量式タッチパネルの操作を容易に行うことができる。【００２４】本発明のうち第３の態様に係るものは、第１の態様に係るタッチパネル操作補助具であって、一端側が爪、又は付け爪の先端側を挟み込み、他端側が指に接触した導電性を有する線状の部材、を備え、該線状部材の爪の先端側下部に、導電性を有するタッチパネル接触部を備えたものである。【００２５】  本発明によれば、一端側が爪、又は付け爪の先端側を挟み込み、他端側が指に接触した導電性を有する線状の部材、を備え、該線状部材の爪の先端下部が、導電性を有するタッチパネル接触部となっているため、使用者は、静電容量式タッチパネルにタッチパネル接触部を接触させることにより、静電容量式タッチパネルの操作を容��に行うことができる。【００２７】
上述したように、静電容量式タッチパネルを作動させるためには、静電容量式タッチパネルを導体である指で操作しなければならず、導体でない長い爪で操作しても静電容量式タッチパネルは作動しないため、長い爪や付け爪をしている女性はスマートフォンなどの携帯電話を操作しづらくなるが、本発明によれば、長い爪や付け爪をしている女性でもお洒落を楽しみながら、スマートフォンの静電容量式タッチパネルを容易に操作することができるとともに、静電容量式タッチパネルの誤操作を少なくすることができる。
【発明の効果】
【００２８】  本発明によれば、少なくとも一部が爪の先端下部に配置し、且つ手背方向から平面視において見えない導電性を有するタッチパネル接触部と連結する爪の上部に配置された導電性を有する爪上部配置部と、さらに爪上部配置部と指と、を連結し、該指に接触した導電性を有する部材と、を有しているので、使用者は静電容量式タッチパネルにタッチパネル接触部を接触させることにより、タッチパネルの操作を容易に行うことができるとともに、タッチパネル接触部は手背方向からは見えないため、市販されている付け爪や、自爪又は付け爪に装着する装飾品と同様に、ファッション性に優れ、日常生活においても違和感はなく、お洒落を楽しむ事ができるとともに、取り付けや取り外しも容易にできる。【００３０】また、タッチパネル接触部が爪の先端下部に取り付けられているので、静電容量式タッチパネルにはタッチパネル接触部がピンポイントで接触し、静電容量式タッチパネルの誤操作を少なくすることができ、いろいろな形状や色彩等も自由にアレンジすることができる。
【図面の簡単な説明】
【００３１】
【図１】（ａ）  本発明の実施例１における爪に取り付けた状態のタッチパネル操作補助具の上面図である。（ｂ）  同タッチパネル操作補助具の下面図である。（ｃ）  同タッチパネル操作補助具の下方斜視図である。（ｄ）  図１（ａ）のＡ−Ａ断面を示す図である。
【図２】（ａ）  本発明の実施例１におけるタッチパネル操作補助具の操作方法を示す図である。（ｂ）  同タッチパネル操作補助具の操作時における指部分の拡大図である。
【図３】（ａ）  本発明の実施例２における爪に取り付けた状態のタッチパネル操作補助具の上面図である。（ｂ）  同タッチパネル操作補助具の下面図である。（ｃ）  同タッチパネル操作補助具の側面図である。（ｄ）  同タッチパネル操作補助具の下方斜視図である。（ｅ）  図３（ａ）のＢ−Ｂ断面を示す図である。
【図４】（ａ）  本発明の実施例２におけるタッチパネル操作補助具の操作方法を示す図である。（ｂ）  同タッチパネル操作補助具の操作時における指部分の拡大図である。
【図５】（ａ）  本発明の実施例３における指に取り付けた状態のタッチパネル操作補助具の上面図である。（ｂ）  同タッチパネル操作補助具の下面図である。（ｃ）  同タッチパネル操作補助具の側面図である。（ｄ）  同タッチパネル操作補助具の下方斜視図である。
【図６】（ａ）  本発明の実施例３におけるタッチパネル操作補助具の操作方法を示す図である。（ｂ）  同タッチパネル操作補助具の操作時における指部分の拡大図である。
【図７】（ａ）  本発明の実施例４における爪に取り付けた状態のタッチパネル操作補助具の上面図である。（ｂ）  同タッチパネル操作補助具の下面図である。（ｃ）  同タッチパネル操作補助具の側面図である。（ｄ）  同タッチパネル操作補助具の下方斜視図である。
【図８】（ａ）  同タッチパネル操作補助具の正面図である。（ｂ）  同タッチパネル操作補助具の裏面図である。
【図９】同タッチパネル操作補助具の装着方法を示す図である。
【図１０】（ａ）  本発明の実施例５における爪に取り付けた状態のタッチパネル操作補助具の上面図である。（ｂ）  同タッチパネル操作補助具の下面図である。（ｃ）  同タッチパネル操作補助具の側面図である。（ｄ）  同タッチパネル操作補助具の下方斜視図である。
【図１１】本発明の実施例５におけるタッチパネル操作補助具の操作時における指部分の拡大図である。
【図１２】（ａ）  本発明の実施例６における爪に取り付けた状態のタッチパネル操作補助具の上面図である。（ｂ）  同タッチパネル操作補助具の下面図である。（ｃ）  同タッチパネル操作補助具の側面図である。（ｄ）  同タッチパネル操作補助具の下方斜視図である。（ｅ）  同タッチパネル操作補助具の爪の先端側を挟み込んだ部分を拡大した側面図である。
【図１３】（ａ）  本発明の変形例における爪に取り付けた状態のタッチパネル操作補助具の上面図である。（ｂ）  同タッチパネル操作補助具の下面図である。（ｃ）  同タッチパネル操作補助具の下方斜視図である。（ｄ）  図１３（ａ）のＣ−Ｃ断面を示す図である。
【図１４】本発明の変形例におけるタッチパネル操作補助具の装着方法を示す図である。
【発明を実施するための形態】
【実施例１】
【００３２】
以下、本発明の静電容量式タッチパネルの操作を補助するタッチパネル操作補助具の実施例１について図面を参照にしながら説明する。ここで、タッチパネル操作補助具を用いて操作される静電容量式タッチパネルについて、スマートフォンの静電容量式タッチパネルについて説明するが、これに限らず、タブレット型端末、カーナビ、ＡＴＭの静電容量式タッチパネルなど、その他の静電容量式タッチパネルであってもよい（下記の実施例でも同様）。図１（ａ）は本発明の実施例１における爪に取り付けた状態のタッチパネル操作補助具の上面図であり、図１（ｂ）は同タッチパネル操作補助具の下面図であり、図１（ｃ）は同タッチパネル操作補助具の下方斜視図であり、図１（ｄ）は図１（ａ）のＡ−Ａ断面を示す図である。
【００３３】
図１に示すように、タッチパネル操作補助具１は、静電容量式タッチパネル２を操作するために用いられ、付け爪５の先端下部に取り付けられた導電性を有する導体のタッチパネル接触部４と、タッチパネル接触部４と連結され、爪３の上部に配置された導電性を有する爪上部配置部である付け爪５とを有している。なお、本実施例では、爪３の上部に配置された導電性を有する爪上部配置部として付け爪５を用いて説明したが、これに限らず、導電性を有するスカルプチュア、ジェルネイル、マニュキュアなどでもよい。また、タッチパネル接触部４は、静電容量式タッチパネル２と接触する部分が導体であればよく、必ずしも全体が導体でなくてもよい（下記の実施例でも同様）。
【００３４】
タッチパネル接触部４は、付け爪５の先端下部に、最大幅が縦幅２ｍｍ以上、横幅２ｍｍ以上の大きさ（好ましくは、最大幅が縦幅４ｍｍ以上、横幅２ｍｍ以上（縦横は図１の縦横））で取り付けられている（図１（ｂ）、図１（ｃ）の黒色部分）。これは、使用者の違和感を少なくするためにはタッチパネル接触部４が小さいほうがよいが、静電容量式タッチパネル２を作動させるためには、静電容量式タッチパネル２との接触面積がある程度必要だからである。なお、本実施例では、タッチパネル接触部４の最大幅が縦幅２ｍｍ以上、横幅２ｍｍ以上の大きさとしたが、これに限らず、静電容量式タッチパネル２が作動する大きさであれば、タッチパネル接触部４の大きさは問わない。タッチパネル接触部４の素材として、たとえば、導電性シリコンゴムが用いられる。導電性シリコンゴム（導電性ゴム）を用いることにより、静電容量式タッチパネル２にソフトに接することができ、静電容量式タッチパネル２を傷めることもなく、また、静電容量式タッチパネル２の表面を指紋などで汚すということもなくなる。なお、本実施例では、タッチパネル接触部４の素材を導電性シリコンゴムとしたが、これに限らず、カーボン繊維などの導電性を有する素材であってもよいし、導電性を有していれば、付け爪と同じ素材であってもよい。ここで、導電性を有するとは、電流が流れる性質を有するの意味であり、導体と同義である。
【００３５】
付け爪５は、上部に導電性コーティング（透明（たとえば、抵抗値５００Ω（以下の実施例も同様）））を塗布して生成され、付け爪５の先端でタッチパネル接触部４と連結されている（図１（ｄ）参照）。なお、本実施例では、付け爪５を上部から導電性コーティングを塗布して生成させたが、これに限らず、前記付け爪５に透明導電性フィルムをコーティングしてもよいし、付け爪５の生成部材に導電性シリコンゴムなどに導電性物質（銅、金、銀、アルミなど）を混入させるなどして、付け爪５全体を導電性を有するものとしてもよい。このように、タッチパネル接触部４は、付け爪５の先端下部に取り付けられているが、タッチパネル接触部４の静電容量式タッチパネル２と接触する面の位置は爪３の先端下部に配置されている。
【００３６】
そして、タッチパネル操作補助具１は、使用者により爪３に通常の付け爪を装着するのと同様の方法で、タッチパネル操作補助具１を爪３に取り付けることができる。
【００３７】
次に、本実施例におけるスマートフォン６の静電容量式タッチパネル２の操作方法について図２を参照にしながら説明する。ここで、図２（ａ）は本発明の実施例１におけるタッチパネル操作補助具の操作方法を示す図であり、図２（ｂ）は同タッチパネル操作補助具の操作時における指部分の拡大図である。
【００３８】
図２に示すように、タッチパネル操作補助具１が取り付けられている指７と異なる指８（導体）で付け爪５を押圧して、スマートフォン６の静電容量式タッチパネル２にタッチパネル接触部４を接触させる。これにより、タッチパネル接触部４から導電性を有する付け爪５および導体である指８を介して微弱電流が流れ、静電容量式タッチパネル２を作動させることができる。
【００３９】
このように、静電容量式タッチパネル２を作動させるためには、静電容量式タッチパネル２を導体である指７で操作しなければならず、導体でない長い爪３および通常の付け爪で操作しても静電容量式タッチパネル２は作動しないが、本実施例によれば、付け爪５の先端下部に取り付けられた導電性を有するタッチパネル接触部４と連結する爪３の上部に配置された導電性を有する付け爪５を有しているので、使用者は付け爪５が配置されている指７と異なる指８（導体）で付け爪５を押圧して、静電容量式タッチパネル２にタッチパネル接触部４を接触させることにより、静電容量式タッチパネル２の操作を行うことができる。これにより、静電容量式タッチパネル２の操作を容易に行うことができる。また、タッチパネル接触部４が付け爪５の先端下部に取り付けられているので、静電容量式タッチパネル２にはタッチパネル接触部４がピンポイントで接触し、静電容量式タッチパネル２の誤操作を少なくすることができる。また、タッチパネル操作補助具１に付け爪５を用いているので、使用者は好みに応じて自由に付け爪５を取り替えることができ、お洒落を楽しむことができる。
【実施例２】
【００４０】
次に、本発明の静電容量式タッチパネルの操作を補助するタッチパネル操作補助具の実施例２について図面を参照にしながら説明する。図３（ａ）は本発明の実施例２における、爪に取り付けられた状態のタッチパネル操作補助具の上面図であり、図３（ｂ）は同タッチパネル操作補助具の下面図であり、図３（ｃ）は同タッチパネル操作補助具の側面図であり、図３（ｄ）は同タッチパネル操作補助具の下方斜視図であり、図３（ｅ）は図３（ａ）のＢ―Ｂ断面を示す図である。ここで実施例２と実施例１が相違するところは、実施例２では、実施例１の構成に、さらに爪上部配置部と指とを連結し、該指に接触した導電性を有する部材を設けたところである。なお、実施例１と同一構成のものについては、同一符号を用い、同一の作用効果を奏するものであり説明は省略する。
【００４１】
図３に示すように、本実施例におけるタッチパネル操作補助具９は、実施例１で説明したタッチパネル接触部４と爪上部配置部である付け爪５の他に、導電性を有する部材１０を備えている。
【００４２】
本実施例は、図３に限らずファッション性を考慮し、部材１０は付け爪５と連結され指７に接触していれば、他の形状でもよい。
【００４３】
部材１０は、導電性を有するものである。
【００４４】
次に、本実施例におけるスマートフォン６の静電容量式タッチパネル２の操作方法について図４を参照にしながら説明する。ここで、図４（ａ）は本発明の実施例２におけるタッチパネル操作補助具の操作方法を示す図であり、図４（ｂ）は同タッチパネル操作補助具の操作時における指部分の拡大図である。
【００４５】
図４に示すように、実施例１と異なり、使用者は付け爪５が取り付けられている指と異なる指（導体）で付け爪５を押圧することなく、静電容量式タッチパネル２にタッチパネル接触部４を接触させるだけで、タッチパネル接触部４から導電性を有する付け爪５、導電性を有する部材１０および導体である指７を介して微弱電流が流れ、静電容量式タッチパネル２の操作を行うことができる。これにより、静電容量式タッチパネル２の操作をさらに容易に行うことができる。
【実施例３】
【００４６】
次に、本発明の静電容量式タッチパネルの操作を補助するタッチパネル操作補助具の実施例３について図面を参照にしながら説明する。図５（ａ）は本発明の実施例３における指に取り付けた状態のタッチパネル操作補助具の上面図であり、図５（ｂ）は同タッチパネル操作補助具の下面図であり、図５（ｃ）は同タッチパネル操作補助具の側面図であり、図５（ｄ）は同タッチパネル操作補助具の下方斜視図である。ここで、実施例３と実施例１が相違するところは、実施例３では実施例１の構成にさらに指輪と連結体を設けたところである。なお、実施例１と同一構成のものについては同一符号を用い、同一の作用効果を奏するものであり説明は省略する。
【００４７】
図５に示すように、本実施例におけるタッチパネル操作補助具１３は、実施例１で説明したタッチパネル接触部４と爪上部配置部である付け爪５の他に、導電性金属からなる指輪１１と、指輪１１と爪上部配置部である付け爪５とを連結する導電性を有する連結体１２とをさらに備えている（図５参照）。なお、実施例３のタッチパネル接触部４は、実施例１と大きさが異なるが、実施例１でも実施例３のタッチパネル接触部４を用いても問題はない。
【００４８】
指輪１１は、金属に導電性素材を混入された導電性金属から生成されている。また、指輪１１は、銅、金、銀、アルミなどの導電性金属から生成したものであってもよい。
【００４９】
連結体１２は、指輪１１と爪上部配置部である付け爪５とを連結する導電性を有するものである。連結体の素材として、導電性コーティングを塗布したものや、導電性金属の銅、金、銀、アルミなどが用いられている。
【００５０】
次に、本実施例におけるスマートフォン６の静電容量式タッチパネル２の操作方法について図６を参照にしながら説明する。ここで、図６（ａ）は本発明の実施例３におけるタッチパネル操作補助具の操作方法を示す図であり、図６（ｂ）は同タッチパネル操作補助具の操作時における指部分の拡大図である。
【００５１】
図６に示すように、実施例１と異なり、使用者は付け爪５が取り付けられている指と異なる指（導体）で付け爪５を押圧することなく、静電容量式タッチパネル２にタッチパネル接触部４を接触させるだけで、タッチパネル接触部４から導電性を有する付け爪５、導電性を有する連結体１２、導電性金属からなる指輪９および導体である指７を介して微弱電流が流れ、静電容量式タッチパネル２の操作を行うことができる。これにより、静電容量式タッチパネル２の操作をさらに容易に行うことができる。
【実施例４】
【００５２】
次に、本発明の静電容量式タッチパネルの操作を補助するタッチパネル操作補助具の実施例４について図面を参照にしながら説明する。ここで、図７（ａ）は本発明の実施例４における爪に取り付けた状態のタッチパネル操作補助具の上面図であり、図７（ｂ）は同タッチパネル操作補助具の下面図であり、図７（ｃ）は同タッチパネル操作補助具の側面図であり、図７（ｄ）は同タッチパネル操作補助具の下方斜視図である。図８（ａ）は同タッチパネル操作補助具の正面図であり、図８（ｂ）は同タッチパネル操作補助具の裏面図である。なお、実施例１では爪上部配置部として付け爪５を用いたが、本実施例は爪上部配置部として下面に接着剤が取り付けられているシールを用いる点で相違する。本実施例では、実施例１と同一構成については同一符号を用い、同一の作用効果を奏するものとして説明は省略する。
【００５３】
図７および図８に示すように、タッチパネル操作補助具１４は、爪３の先端下部に取り付けられた導電性を有する導体のタッチパネル接触部１６と、タッチパネル接触部１６と連結され、爪３の上部に配置された導電性を有する爪上部配置部であるシール１５とを有している。
【００５４】
タッチパネル接触部１６は、実施例１で説明したタッチパネル接触部４とほぼ同一であるので、説明は省略する。
【００５５】
シール１５は、下面に接着剤が取り付けられ、爪３と略同形状をしている（図７（ａ）の黒色部分）。これにより、シール１５を爪３全体を覆うようにして、爪３に接着させることができる。なお、本実施例では、シール１５を爪３と略同形状にしたが、これに限らず、あらゆる形状に形成することができる。また、シール１５の模様や色も自由に付することができる。これにより、好みに応じたファッション性に優れたシールを形成することができる。シール１５は、上部に導電性コーティング（透明）を塗布して生成され、シール１５の先端でタッチパネル接触部１６と連結されている（図８参照）。ここで、図７および図８の黒色部分は導電性コーティングが塗布されている部分である。なお、本実施例では、シール１５を上部から導電性コーティングを塗布して生成させたが、これに限らず、シール１５の生成部材に導電性シリコンゴムなどに導電性物質（銅、金、銀、アルミなど）を混入させるなどして、シール１５全体を導電性を有するものとしてもよい。
【００５６】
次に、本実施例のタッチパネル操作補助具１４の装着方法について説明する。ここで、図９は本発明の実施例４における同タッチパネル操作補助具の装着方法を示す図である。
【００５７】
タッチパネル操作補助具１４を取り付けようとする爪３の上部にシール１５を持っていき、シール１５をシール１５裏面のシール接着面１７の接着剤により爪３に取り付ける。そして、シール１５と連結して取り付けられているタッチパネル接触部１６を下側（爪３の裏側方向）に折り曲げ、タッチパネル接触部１６を爪３の裏側に引っ付ける。ここで、タッチパネル接触部１６の下面には接着剤が取り付けられている。
【００５８】
本実施例におけるスマートフォン６の静電容量式タッチパネル２の操作方法については、実施例１におけるスマートフォン６の静電容量式タッチパネル２の操作方法とほぼ同じであるので、説明は省略する。
【００５９】
本実施例のタッチパネル操作補助具によれば、シール１５を用いているので、スカルプチュア、ジェルネイル、マニキュアを使用した自爪においても容易に使用することができる。また、下面に接着剤が取り付けられているシール１５であるので、タッチパネル操作補助具１４の取り付け、取り外しを容易に行うことができ、使用者は好みに応じてお洒落を楽しむことができる。
【実施例５】
【００６０】
次に、本発明の静電容量式タッチパネルの操作を補助するタッチパネル操作補助具の実施例５について図面を参照にしながら説明する。ここで、図１０（ａ）は本発明の実施例５における爪に取り付けた状態のタッチパネル操作補助具の上面図であり、図１０（ｂ）は同タッチパネル操作補助具の下面図であり、図１０（ｃ）は同タッチパネル操作補助具の側面図であり、図１０（ｄ）は同タッチパネル操作補助具の下方斜視図である。
【００６１】
図１０に示すように、タッチパネル操作補助具２１は、爪３の先端に取り付けられた導電性を有するネイルパーツ１８の爪３の上部に配置された部分であるネイルパーツ爪上部１９（爪上部配置部）と、爪３の先端に取り付けられた導電性を有するネイルパーツ１８の爪３の先端から爪３外部に出た部分であるネイルパーツ爪外部２０（タッチパネル接触部）とを有している。
【００６２】
ネイルパーツ１８は、爪３の先端に取り付けられ、ハート形状をしている（図１０（ａ）参照）。このネイルパーツ１８の爪３の上部の部分がネイルパーツ爪上部１９であり、爪３外部に出た部分であるネイルパーツ爪外部２０である。ネイルパーツ爪外部２０の最大幅は縦幅２ｍｍ以上で横幅２ｍｍ以上の大きさ（好ましくは、最大幅が縦幅４ｍｍで横幅２ｍｍ以上の大きさ（縦横は図１０の縦横））で取り付けられている（図１０（ｂ）の黒色部分）。これは、ファッション性を考慮するとネイルパーツ爪外部２０を余り大きくできないが、静電容量式タッチパネル２を作動させるためには、静電容量式タッチパネル２との接触面積がある程度必要だからである。なお、本実施例では、ネイルパーツ爪外部２０（タッチパネル接触部）の最大幅が縦幅２ｍｍ以上で横幅２ｍｍ以上の大きさとしたが、これに限らず、静電容量式タッチパネル２が作動する大きさであれば、ネイルパーツ爪外部２０（タッチパネル接触部）の大きさは問わない。ネイルパーツ１８の素材として、たとえば、導電性シリコンゴムが用いられる。導電性シリコンゴム（導電性ゴム）を用いることにより、静電容量式タッチパネル２にソフトに接することができ、静電容量式タッチパネル２を傷めることもない。また、本実施例では、ハート形状のネイルパーツ１８を用いたが、ファッション性を有するものであれば、他の形状でもよい。
【００６３】
ネイルパーツ１８は、ネイルパーツ１８の全外周に導電性コーティング（透明）を塗布して生成されている。なお、本実施例では、ネイルパーツ１８の全外周に導電性コーティングを塗布して生成させたが、これに限らず、ネイルパーツ１８の生成部材に導電性シリコンゴムなどに導電性物質（銅、金、銀、アルミなど）を混入させるなどして、ネイルパーツ１８全体を導電性を有するものとしてもよい。
【００６４】
そして、タッチパネル操作補助具２１は、使用者により爪３に通常のネイルパーツを付けるのと同様の方法で、タッチパネル操作補助具２１を爪３に取り付けることができる。
【００６５】
次に、本実施例におけるスマートフォン６の静電容量式タッチパネル２の操作方法について図１１を参照にしながら説明する。ここで、図１１は  本発明の実施例５におけるタッチパネル操作補助具の操作時の指部分の拡大図である。なお、本実施例におけるスマートフォン６の静電容量式タッチパネル２の操作方法は実施例１と近似するので図２（ａ）も参照しながら説明する。
【００６６】
ネイルパーツ１８が取り付けられている指７と異なる指８（導体）でネイルパーツ爪上部１９を押圧して、スマートフォン６の静電容量式タッチパネル２にネイルパーツ爪外部２０（タッチパネル接触部）を接触させる（図２（ａ）参照）。これにより、導電性を有するネイルパーツ１８（ネイルパーツ爪外部２０）から導体である指８を介して微弱電流が流れ、静電容量式タッチパネル２を作動させることができる。
【００６７】
本実施例によれば、ネイルパーツ１８のネイルパーツ爪上部１９を押圧することにより、静電容量式タッチパネル２にネイルパーツ爪外部２０が接触し、静電容量式タッチパネル２の操作を行うことができる。これにより、静電容量式タッチパネル２の操作を容易に行うことができる。また、ネイルパーツ１８を用いているので、ファッション性にも優れ、取り付け、取り外しも容易に行うことができ、好みに応じてお洒落を楽しむことができる。
【実施例６】
【００６８】
次に、本発明の静電容量式タッチパネルの操作を補助するタッチパネル操作補助具の実施例６について図面を参照にしながら説明する。ここで図１２（ａ）は、本発明の実施例６における、爪に取り付けた状態のタッチパネル操作補助具の上面図であり、図１２（ｂ）は、同タッチパネル操作補助具の下面図であり、図１２（ｃ）は、同タッチパネル操作補助具の側面図であり、図１２（ｄ）は、同タッチパネル操作補助具の下方斜視図であり、図１２（ｅ）は、同タッチパネル操作補助具の爪の先端側を挟み込んだ部分を拡大した側面図である。ここで実施例５と相違するところは、実施例５では、爪の先端部分だけに取り付けられていたが、実施例６では、爪上部に配置され、一端側は爪３の先端側を挟み込み、他端側は指７に接触する形状となっている。なお、実施例５と同一構成のものについては、同一符号を用い、同一の作用効果を奏するものであり説明は省略する。
【００６９】
図１２に示すように本実施例におけるタッチパネル操作補助具２２は、爪３の上部に配置され、一端側が爪３の先端側を挟み込み、他端側が指７に接触している導電性を有するネイルパーツ２３で、爪３の先端下部はタッチパネル接触部２４を有している。また、本実施例は、図１２に限らずファッション性を考慮し、爪３の上部に配置され、一端側は爪３の先端を挟み込み、そして他端側は指７に接触していれば他の形状でもよい。
【００７０】
ネイルパーツ２３は、実施例５の素材と同様の素材である導電性を有するものである。
【００７１】
本実施例におけるスマートフォン６の静電容量式タッチパネル２の操作方法については、実施例２におけるスマートフォン６の静電容量式タッチパネル２の操作方法とほぼ同じであるので、説明は省略する。
【００７２】
今回開示された実施の形態は、すべての点で例示であって制限的なものではないと考えられるべきである。本発明の範囲は、上記した説明ではなくて特許請求の範囲によって示され、特許請求の範囲と均等の意味および範囲内でのすべての変更が含まれることが意図される。
【００７３】
以下、本発明の変形例について説明する。
（１）  本実施例では、導電性を有するタッチパネル接触部を導電性を有するシリコンゴムを素材として生成したが、これに限らず、導電性を有する素材（たとえば、導電性を有するシリコンゴム）にコンデンサ（チップ型コンデンサ（たとえば、大きさ１ｍｍ程度のコンデンサ））を装着させてもよい。このように、導電性を有する素材（たとえば、導電性を有するシリコンゴム）にコンデンサ（チップ型コンデンサ）を装着することにより、タッチパネル操作補助具が取り付けられている指以外の指を使わなくても静電容量式タッチパネルを操作して作動させることができる。
また、導電性を有する素材（たとえば、導電性を有するシリコンゴム）にコンデンサ（チップ型コンデンサ）を装着する代わりに、上記実施例で説明した爪上部配置部にコンデンサ（チップ型コンデンサ（たとえば、大きさ１ｍｍ程度のコンデンサ））を装着してもよい。これによっても上述した効果を奏する。
【００７４】
（２）  実施例５では、ネイルパーツ１８を爪３の上部に取り付けるようにしたが、これに限らず、ネイルパーツ１８を爪の下部に取り付けるようにしてもよい。この場合、爪３の先端に取り付けられた導電性を有するネイルパーツの爪の下部に配置された部分であるネイルパーツ爪下部（爪下部配置部）と、爪３の先端に取り付けられた導電性を有するネイルパーツの爪の先端から爪外部に出た部分であるネイルパーツ爪外部（タッチパネル接触部）とを有するものとなる。
【００７５】
（３）  実施例５では、タッチパネル操作補助具２１は、爪３の先端に取り付けられた導電性を有するネイルパーツ１８の爪３の上部に配置された部分であるネイルパーツ爪上部１９（爪上部配置部）と、爪３の先端に取り付けられた導電性を有するネイルパーツ１８の爪３の先端から爪３外部に出た部分であるネイルパーツ爪外部２０（タッチパネル接触部）とを有するものとしたが、これに限らず、タッチパネル操作補助具２５を、爪３の先端下部に取り付けられた導電性を有する導体のネイルパーツの下部に配置された部分であるタッチパネル接触部２７と、タッチパネル接触部２７と連結され、爪３の先端上部に配置された導電性を有するネイルパーツの上部に配置された部分である爪上部配置部２６とからなるものとしてもよい（図１３参照）。ここで、図１３（ａ）は本発明の変形例における爪に取り付けた状態のタッチパネル操作補助具の上面図であり、図１３（ｂ）は同タッチパネル操作補助具の下面図であり、図１３（ｃ）は同タッチパネル操作補助具の下方斜視図であり、図１３（ｄ）は図１３（ａ）のＣ−Ｃ断面を示す図である。そして、このタッチパネル操作補助具２５は、爪３にタッチパネル接触部２７と爪上部配置部２６が連結されている隙間が嵌合するようにして装着される（図１４参照）。ここで、タッチパネル接触部２７と爪上部配置部２６の隙間である爪３を挟み込む部分には接着剤が付けられているので、タッチパネル操作補助具２５と爪３とを接着することができる。図１４は本発明の変形例におけるタッチパネル操作補助具の装着方法を示す図である。
【符号の説明】
【００７６】
１      タッチパネル操作補助具
２      静電容量式タッチパネル
３      爪
４      タッチパネル接触部
５      付け爪
６      スマートフォン
７      タッチパネル操作補助具を装着した指
８      指
９      タッチパネル操作補助具
１０    部材
１１    指輪
１２    連結体
１３    タッチパネル操作補助具
１４    タッチパネル操作補助具
１５    シール
１６    タッチパネル接触部  
１７    シール接着面
１８    ネイルパーツ  
１９    ネイルパーツ爪上部
２０    ネイルパーツ爪外部
２１    タッチパネル操作補助具
２２    タッチパネル操作補助具
２３    ネイルパーツ
２４    タッチパネル接触部
２５    タッチパネル操作補助具
２６    爪上部配置部
２７    タッチパネル接触部
【図１】
0005809096.tif 000002
【図２】
0005809096.tif 000003
【図３】
0005809096.tif 000004
【図４】
0005809096.tif 000005
【図５】
0005809096.tif 000006
【図６】
0005809096.tif 000007
【図７】
0005809096.tif 000008
【図８】
0005809096.tif 000009
【図９】
0005809096.tif 000010
【図１０】
0005809096.tif 000011
【図１１】
0005809096.tif 000012
【図１２】
0005809096.tif 000013
【図１３】
0005809096.tif 000014
【図１４】
0005809096.tif 000015